(57)【要約】【課題】一人で簡単にごみの収集作業を行うことができるごみ袋取付具及びそれを用いたごみ収集器具を提供する。【解決手段】ごみ袋取付具１０は、ごみ袋を引掛けて取り付ける湾曲された第１取付部１１Ａ及び第２取付部１１Ｂと、これら第１取付部１１Ａ及び第２取付部１１Ｂの一端部同士を連結する直線状に伸長された第１連結部１１Ｃと、前記第１取付部１１Ａ及び第２取付部１１Ｂの他端部同士を連結する第２連結部１１Ｄとを有する枠状体１１を備えている。第２取付部１１Ｂには、伸縮性を有する配設部材１３を介して楕円体部１２Ａを有する第３取付部１２が配設されている。【選択図】図１
0003197815.tif 000002
【実用新案登録請求の範囲】
【請求項１】
ごみ袋を取り付けて用いるごみ袋取付具であって、
ごみ袋を引掛けて取り付ける湾曲された第１取付部及び第２取付部と、これら第１取付部及び第２取付部の一端部同士を連結する直線状に伸長された第１連結部と、前記第１取付部及び第２取付部の他端部同士を連結する第２連結部とを有する枠状体と、
ごみ袋を引掛けて取り付ける第３取付部と、
この第３取付部を前記第２連結部に対して配設する配設部材と
を備えたことを特徴とするごみ袋取付具。
【請求項２】
前記第３取付部は、楕円体部と、この楕円体部を前記配設部材に接続する接続部とを有し、
前記接続部は、前記楕円体部が接続された楕円体接続部と、前記配設部材が接続された配設部材接続部とを有し、前記楕円体接続部と前記配設部材接続部とは、屈曲して設けられた
ことを特徴とする請求項１記載のごみ袋取付具。
【請求項３】
前記配設部材は、伸縮性のある伸縮部材及び紐状部材のうちの少なくとも一方を有することを特徴とする請求項１又は請求項２記載のごみ袋取付具。
【請求項４】
前記第１連結部に対して配設され、取り付けられたごみ袋の内側にごみを誘導するためのごみ誘導板を備えたことを特徴とする請求項１から請求項３のいずれか１に記載のごみ袋取付具。
【請求項５】
請求項１から請求項４のいずれか１に記載のごみ袋取付具と、このごみ袋取付具に取り付けられる合成樹脂フイルム製のごみ袋とを備え、
前記ごみ袋は、開口部を前記第１取付部、前記第２取付部、及び、前記第３取付部に引掛けることにより取り付けられる
ことを特徴とするごみ収集器具。
【考案の詳細な説明】
【技術分野】
【０００１】
本考案は、合成樹脂フイルム製等のごみ袋を着脱できるごみ袋取付具及びそれを用いたごみ収集器具に関する。
【背景技術】
【０００２】
屋外等でごみの収集を行う場合には、例えば、片手に箒を持ち、片手に合成樹脂フイルム製のごみ袋持って、ごみ袋にごみを入れたり、ごみ袋を地面又は床上に置いて、ごみ袋にごみを入れたりしていた。しかし、ごみ袋が思うように開口しないためにごみを入れにくいという問題があった。また、一人がごみ袋を開口して持ち、他の一人が箒で集めたごみをごみ袋に入れるというように二人で作業する場合もあるが、人手が必要であり、一人で手軽に作業できないという問題があった。
【先行技術文献】
【特許文献】
【０００３】
【特許文献１】特開２００２−３６２７０２号公報
【考案の概要】
【考案が解決しようとする課題】
【０００４】
本考案は、このような問題に基づきなされたものであり、一人で簡単にごみの収集作業を行うことができるごみ袋取付具及びそれを用いたごみ収集器具を提供することを目的とする。
【０００５】
なお、特許文献１には、２つのストッパー本体をネジで連結してリング枠体を形成し、このリング枠体にごみ袋を沿わせ、別途用意したゴム製のストッパーをはめ込むことにより、ごみ袋をリング枠体に固定するものが記載されている。しかしながら、特許文献１に記載の器具は、連結用のネジが必要であり、また、ごみ袋をリング枠体に沿わせてからゴム製のストッパーで固着しなければならず、使い勝手が悪いという問題があった。
【課題を解決するための手段】
【０００６】
本考案のごみ袋取付具は、ごみ袋を取り付けて用いるものであって、ごみ袋を引掛けて取り付ける湾曲された第１取付部及び第２取付部と、これら第１取付部及び第２取付部の一端部同士を連結する直線状に伸長された第１連結部と、前記第１取付部及び第２取付部の他端部同士を連結する第２連結部とを有する枠状体と、ごみ袋を引掛けて取り付ける第３取付部と、この第３取付部を前記第２連結部に対して配設する配設部材とを備えたものである。
【０００７】
本考案のごみ収集器具は、本考案のごみ袋取付具と、このごみ袋取付具に取り付けられる合成樹脂フイルム製のごみ袋とを備え、ごみ袋は、開口部を第１取付部、第２取付部、及び、第３取付部に引掛けることにより取り付けられるものである。
【考案の効果】
【０００８】
本考案によれば、第１取付部及び第２取付部を有する枠状体と、配設部材により第２連結部に配設された第３取付部とを備えるようにしたので、例えば、ごみ袋の開口部で第１取付部及び第２取付部の外周側を覆い、開口部の一部を第３取付部の方に広げて引っ掛けることにより、ごみ袋を取り付けることができる。よって、ごみ袋取付具を持って簡単にごみ袋の中にごみを直接入れることができるので、一人で、容易に、短時間でごみ収集作業を行うことができる。また、電気などのエネルギーを使用せず、高価な道具も使用しないので、省力、省エネで、コストも安くすることができる。
【０００９】
更に、第３取付部を配設部材により第２連結部に配設するようにしたので、第２連結部を第３取付部から離れた高い位置まで形成することができる。よって、腰をかがめなくても、第２連結部の上方を片手で持ち、取り付けたごみ袋にごみを入れることができるので、楽に作業を行うことができる。
【００１０】
加えて、第３取付部は、楕円体部と、この楕円体部を配設部材に接続する接続部とを有し、楕円体部が接続される楕円体接続部と、配設部材が接続される配設部材接続部とを屈曲して設けるようにすれば、安定してごみ袋を引っ掛けて取り付けることができる。
【００１１】
更にまた、配設部材が伸縮性のある伸縮部材を有するようにすれば、ごみ袋の開口部の一部を第３取付部に取り付ける際に、配設部材を伸長させることができるので、より容易に第３取付部に引っ掛けることができる。また、取り付けた後は、配設部材が収縮するので、ごみ袋を緩みなく取り付けることができ、多少の風の風圧がかかっても、外れることを防止することができる。
【００１２】
加えてまた、配設部材が紐状部材を有するようにすれば、ごみ袋の開口部の大きさに合わせて、配設部材の長さを変えることができる。よって、様々な大きさのごみ袋を取り付けることができる。
【００１３】
更にまた、第１連結部にごみ誘導板を備えるようにすれば、ごみ誘導板の上を通過させて容易にごみをごみ袋の中に入れることができる。
【図面の簡単な説明】
【００１４】
【図１】本考案の一実施の形態に係るごみ袋取付具の構成を表す図である。
【図２】図１に示したごみ袋取付具にごみ袋を取り付けたごみ収集器具の構成を表す図である。
【図３】図１に示したごみ袋取付具の一部を拡大して表す図である。
【考案を実施するための形態】
【００１５】
以下、本考案の実施の形態について、図面を参照して詳細に説明する。
【００１６】
図１は、本考案の一実施の形態に係るごみ袋取付具１０の構成を表すものである。図２は、図１に示したごみ袋取付具１０にごみ袋２１を取り付けたごみ収集器具２０の構成を表すものである。図３は図１に示したごみ袋取付具の一部を拡大して表すものである。このごみ袋取付具１０は、例えば、合成樹脂フイルム製のごみ袋２１を取り付けて用いるものであり、枠状体１１を備えている。
【００１７】
枠状体１１は、例えば、ごみ袋を引掛けて取り付ける湾曲された第１取付部１１Ａ及び第２取付部１１Ｂと、これら第１取付部１１Ａ及び第２取付部１１Ｂの一端部同士を連結する直線状に伸長された第１連結部１１Ｃと、前記第１取付部１１Ａ及び第２取付部１１Ｂの他端部同士を連結する第２連結部１１Ｄとを有している。第２連結部１１Ｄは、例えば、上部が持ち手として機能するものであり、第１連結部１１Ｃを下にして、第１取付部１１Ａの他端部から上に向かって伸長された第１伸長部１１Ｅと、第２取付部１１Ｂの他端部から上に向かって伸長された第２伸長部１１Ｆと、第１伸長部１１Ｅの上端部と第２伸長部１１Ｆの上端部とを結合する把持部１１Ｇとを有していることが好ましい。把持部１１Ｇは、例えば、図１及び図２では湾曲状に形成された場合について示したが、直線状等の他の形状としてもよい。
【００１８】
枠状体１１の高さ、すなわち、第１連結部１１Ｃを下にして、第１連結部１１Ｃから第２連結部１１Ｄの最も高い位置までの高さは、例えば、５０ｃｍから８０ｃｍの範囲内とすることが好ましい。腰をかがめなくても、第２連結部１１Ｄの上部（例えば、把持部１１Ｇ）を持ち、第１連結部１１Ｃを地面につけて、枠状体１１に取り付けたごみ袋２１にごみを入れることができるからである。第１連結部１１Ｃの長さは、例えば、２０ｃｍから４０ｃｍの範囲内とすることが好ましい。ほうきでごみを集めてごみ袋２１に入れる際に、この程度の広がりがあれば入れやすいからである。
【００１９】
枠状体１１は、例えば、アルミニウム等の軽量金属製、又は、プラスチック製の管により構成されることが好ましい。第１取付部１１Ａ及び第２取付部１１Ｂの少なくとも外周側表面には、例えば、ゴム又は軟質樹脂よりなる滑り止め部材１１Ｈが配設されていることが好ましい。第１取付部１１Ａ及び第２取付部１１Ｂにごみ袋２１を滑らずに容易に引掛けることができると共に、ごみ袋２１が傷ついて破損してしまうことを防止するためである。また、第２連結部１１Ｄの上部（例えば、把持部１１Ｇ）にも、例えば、ゴム又は軟質樹脂よりなる滑り止め部材１１Ｋが配設されていることが好ましい。手滑りを防止するためである。滑り止め部材１１Ｋの長さは、例えば、２０ｃｍから３０ｃｍ程度とすることが好ましい。
【００２０】
このごみ袋取付具１０は、また、ごみ袋２１を引掛けて取り付ける第３取付部１２と、この第３取付部１２を第２連結部１１Ｄに対して配設する配設部材１３とを備えている。
第３取付部１２は、第１取付部１１Ａ及び第２取付部１１Ｂと合わせた例えば３点により、ごみ袋２１の開口部を広げた状態で引掛けて保持するものである。配設部材１３は、例えば、第２連結部１１Ｄの上部（例えば、把持部１１Ｇ）に配設されることが好ましく、第３取付部１２は、例えば、配設部材１３により、第２連結部１１Ｄの上部（例えば、把持部１１Ｇ）から垂下して配設されている。
【００２１】
第３取付部１２は、例えば、図３に拡大して示したように、楕円体よりなる楕円体部１２Ａと、この楕円体部１２Ａを配設部材１３に接続する接続部１２Ｂとを有している。楕円体というのは、球体及び回転楕円体を含む概念であり、球体により楕円体部１２Ａを構成するようにすればより好ましい。楕円体部１２Ａは、例えば、ゴム又は軟質樹脂により構成することが好ましく、楕円体部１２Ａの大きさ、例えば直径は、１０ｍｍから５０ｍｍ程度とすることが好ましい。
【００２２】
接続部１２Ｂは、例えば、棒状又は板状であり、楕円体部１２Ａが接続された楕円体接続部１２Ｃと、配設部材１３が接続された配設部材接続部１２Ｄとを有している。楕円体接続部１２Ｃは、例えば、楕円体部１２Ａに埋設されることにより接続されている。配設部材接続部１２Ｄは、例えば、楕円体接続部１２Ｃと反対側の端部にフックが形成されており、配設部材に引掛けることにより接続されている。また、楕円体接続部１２Ｃと配設部材接続部１２Ｄとは、屈曲して設けられていることが好ましい。屈曲させることにより、楕円体部１２Ａにごみ袋２１の引っ掛かる面積が大きくなり、安定してごみ袋２１を取り付けることができるからである。
【００２３】
配設部材１３は、例えば、伸縮性のある伸縮部材１３Ａ及び紐状部材１３Ｂのうちの少なくとも一方を有するように構成することが好ましい。伸縮部材１３Ａを設けるようにすれば、ごみ袋２１の開口部の一部を第３取付部１２に引掛ける際に、伸縮部材１３Ａを伸長させて容易に引掛けることができると共に、取り付けた後は、伸縮部材１３Ａが収縮するので、ごみ袋２１を緩みなく取り付けることができるからである。伸縮部材１３Ａとしては、例えば、ばねが好ましい。
【００２４】
また、紐状部材１３Ｂを設けるようにすれば、紐状部材１３Ｂを結ぶ位置を変えることにより、ごみ袋２１の開口部の大きさに合わせて、配設部材１３の長さを変えることができるので、様々な大きさのごみ袋２１を容易に取り付けることができるからである。配設部材１３は、滑り止め部材１１Ｋを被覆するのと同時に装着するようにしてもよいが、滑り止め部材１１Ｋを被覆した上から装着するようにしてもよい。なお、図１及び図２では、伸縮部材１３Ａを上側、紐状部材１３Ｂを下側に配設する場合について示したが、伸縮部材１３Ａを下側、紐状部材１３Ｂを上側に配設するようにしてもよい。
【００２５】
このごみ袋取付具１０は、更に、第１連結部１１Ｃに対して配設され、取り付けられたごみ袋２１の内側にごみを誘導するためのごみ誘導板１４を備えていることが好ましい。ごみ誘導板１４は、例えば、プラスチックにより構成されている。ごみ誘導板１４の長さは、例えば、ごみ誘導板１４が配設されている第１連結部１１Ｃの長さ程度であることが好ましく、ごみ誘導板１４の幅は、例えば、２０ｍｍから１００ｍｍ程度、ごみ誘導板１４の厚みは、例えば、０．５ｍｍから３ｍｍ程度であることが好ましい。
【００２６】
ごみ誘導板１４は、例えば、第１連結部１１Ｃに対して回動可能に配設するようにしてもよい。例えば、滑り止め部材１１Ｈを第１取付部１１Ａ及び第２取付部１１Ｂの外周側表面のみでなく、第１取付部１１Ａ、第２取付部及び第１連結部１１Ｃの全体を覆い、かつ、これらに対して回動可能とするようにすれば、ごみ誘導板１４を滑り止め部材１１Ｈに配設することにより第１連結部１１Ｃに対して回動可能とすることができる。このように構成すれば、例えば、ごみ収集作業時には、枠状体１１に対して大きな角度を有する位置とし、運搬時及び収納時には、枠状体１１に対して平行に近い位置として小さくすることができる。
【００２７】
なお。ごみ誘導板１４を第１連結部１１Ｃに対して可動ではなく固定して配設する場合には、第１連結部１１Ｃを下にして枠状体１１を垂直に立てた状態で、ごみ誘導板１４が枠状体１１の内周側から斜め下向きに傾斜するように配設されていることが好ましい。傾斜角度は、例えば、水平面に対して２０度程度とすることが好ましい。
【００２８】
このごみ袋取付具１０及びごみ収集器具２０は、例えば、次のようにして用いることができる。まず、ごみ袋取付具１０にごみ袋２１を取り付ける。例えば、第１取付部１１Ａ、第１連結部１１Ｃ及び第２取付部１１Ｂの外周側をごみ袋２１の開口部で覆い、第３取付部１２に向かってごみ袋２１の開口部を広げ、第３取付部１２の楕円体部１２Ａに引掛けて取り付ける。次いで、例えば、第２連結部１１Ｄの上部（例えば、把持部１１Ｇ）を片手で持ち、片手に箒を持ってごみを掃き寄せ、ごみ誘導板１２の上を通過させて、ごみ袋２１の中にごみを直接入れる。ごみ袋２１がごみで一杯になった場合には、伸縮部材１３Ａを伸長させてごみ袋２１の開口部を第３取付部１２から外すことにより、ごみ袋２１をごみ袋取付具１０から取り外す。
【００２９】
このように本実施の形態によれば、第１取付部１１Ａ及び第２取付部１１Ｂを有する枠状体１１と、配設部材１３により第２連結部１１Ｄに配設された第３取付部１２とを備えるようにしたので、例えば、ごみ袋２１の開口部で第１取付部１１Ａ及び第２取付部１１Ｂの外周側を覆い、開口部の一部を第３取付部１２の方に広げて引っ掛けることにより、ごみ袋を取り付けることができる。よって、ごみ袋取付具１０を持って簡単にごみ袋２１の中にごみを直接入れることができるので、一人で、容易に、短時間でごみ収集作業を行うことができる。また、電気などのエネルギーを使用せず、高価な道具も使用しないので、省力、省エネで、コストも安くすることができる。
【００３０】
更に、第３取付部１２を配設部材１３により第２連結部１１Ｄに配設するようにしたので、第２連結部１１Ｄを第３取付部１２から離れた高い位置まで形成することができる。よって、腰をかがめなくても、第２連結部１１Ｄの上方を片手で持ち、取り付けたごみ袋２１にごみを入れることができるので、楽に作業を行うことができる。
【００３１】
加えて、第３取付部１２は、楕円体部１２Ａと、この楕円体部１２Ａを配設部材１３に接続する接続部１２Ｂとを有し、楕円体部１２Ａが接続される楕円体接続部１２Ｃと、配設部材１３が接続される配設部材接続部１２Ｄとを屈曲して設けるようにすれば、安定してごみ袋２１を引っ掛けて取り付けることができる。
【００３２】
更にまた、配設部材１３が伸縮性のある伸縮部材１３Ａを有するようにすれば、ごみ袋２１の開口部の一部を第３取付部１２に取り付ける際に、配設部材１３を伸長させることができるので、より容易に第３取付部１２に引っ掛けることができる。また、取り付けた後は、配設部材１３が収縮するので、ごみ袋２１を緩みなく取り付けることができ、多少の風の風圧がかかっても、外れることを防止することができる。
【００３３】
加えてまた、配設部材１３が紐状部材１３Ｂを有するようにすれば、ごみ袋２１の開口部の大きさに合わせて、配設部材１３の長さを変えることができる。よって、様々な大きさのごみ袋２１を取り付けることができる。
【００３４】
更にまた、第１連結部１１Ｃにごみ誘導板１４を備えるようにすれば、ごみ誘導板１４の上を通過させて容易にごみをごみ袋２１の中に入れることができる。
【００３５】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００３６】
１０…ごみ袋取付具、１１…枠状体、１１Ａ…第１取付部、１１Ｂ…第２取付部、１１Ｃ…第１連結部、１１Ｄ…第２連結部、１１Ｅ…第１伸長部、１１Ｆ…第２伸長部、１１Ｇ…把持部、１１Ｈ，１１Ｋ…滑り止め部材、１２…第３取付部、１２Ａ…楕円体部、１２Ｂ…接続部、１２Ｃ…楕円体接続部、１２Ｄ…配設部材接続部、１３…配設部材、１３Ａ…伸縮部材、１３Ｂ…紐状部材、１４…ごみ誘導板、２０…ごみ収集器具、２１…ごみ袋
【図１】
0003197815.tif 000003
【図２】
0003197815.tif 000004
【図３】
0003197815.tif 000005